(57)【要約】      （修正有）【課題】第一義的に動作特性が均一で接触不良が生じない可動接触片の駆動機構を提供する。【解決手段】可動接点４６を有し、かつ、係合孔４８を有する可動接触片４５と、前記可動接点４６に接離可能に対向する固定接点４２と、先端部に前記可動接触片４５の前記係合孔４８に係合する係合突起３８を有し、前記固定接点４２側に向かう方向に沿って往復移動することにより、前記可動接触片４５の可動接点４６を前記固定接点４２に接離させるカード３５と、からなる可動接触片４５の駆動機構である。特に、前記係合孔４８の開口部の少なくとも一部から、前記固定接点４２側に向かう方向に突出するフランジ部４９を設けた。【選択図】図２
2016177896.tif 000002
【特許請求の範囲】
【請求項１】
可動接点を有し、かつ、係合受け部を有する可動接触片と、
前記可動接点に接離可能に対向する固定接点と、
先端部に前記可動接触片の前記係合受け部に係合する係合突起を有し、前記固定接点側に向かう方向に沿って往復移動することにより、前記可動接触片の可動接点を前記固定接点に接離させる操作体と、からなる可動接触片の駆動機構であって、
前記係合受け部の開口部の少なくとも一部から、前記固定接点側に向かう方向に突出するフランジ部を設けたことを特徴とする可動接触片の駆動機構。
【請求項２】
前記係合受け部が、前記可動接触片に設けた係合孔であることを特徴とする請求項１に記載の可動接触片の駆動機構。
【請求項３】
前記フランジ部が環状であることを特徴とする請求項２に記載の可動接触片の駆動機構。
【請求項４】
前記フランジ部の前記操作体に対向する面が、前記係合受け部の開口部から前記フランジ部の先端部に向かい、かつ、前記係合受け部の開口部の外側に広がるように傾斜したことを特徴とする請求項１ないし３のいずれか１項に記載の可動接触片の駆動機構。
【請求項５】
前記係合受け部が、前記可動接触片の外周縁部に設けた少なくとも１つの切欠きであることを特徴とする請求項１に記載の可動接触片の駆動機構。
【請求項６】
前記フランジ部の前記操作体に対向する面の傾斜角度が、前記操作体の前記係合突起の傾斜角度以上であることを特徴とする請求項１ないし５のいずれか１項に記載の可動接触片の駆動機構。
【請求項７】
請求項１ないし６のいずれか１項に記載の可動接触片の駆動機構を備えた電磁継電器。
【発明の詳細な説明】
【技術分野】
【０００１】
本発明は可動接触片の駆動機構、特に、電磁継電器に組み込まれる可動接触片の駆動機構に関する。
【背景技術】
【０００２】
従来、可動接触片の駆動機構としては、例えば、ヨークをコイルの側面に固定し、且つ、該コイルを樹脂にて形成したベース上に立設し、更に、該ヨークの上端部にくの字状のアマチュアを回動自在に支承すると共に、該コイルに通電することにより該アマチュアが回動して樹脂にて形成された作動片を介して可動接片を押圧し、固定接点に可動接点を接触できるようにした小型継電器において、前記ベースの左右両側面をアマチュアの回動支点部位まで立設して側壁を形成し、且つ、該側壁の上端部に凹部を形成し、更に、前記アマチュアの左右両側の回動支点に回動軸を突設し、該回動軸を側壁の凹部に係合させて該アマチュアを回動自在に支承した小型継電器がある（特許文献１参照）。
そして、前記小型継電器は、特許文献１の図７に示すように、可動接点３５を有する可動接片２６を作動片２８ａで押圧することにより、前記可動接点３５を固定接点３６に接離することが開示されている。そして、前記可動接触片の駆動機構では、前記作動片２８ａの先端部に設けた係合突起を、可動接片２６の係合孔に挿通している。
【先行技術文献】
【特許文献】
【０００３】
【特許文献１】実開平７−２７０４２号公報
【発明の概要】
【発明が解決しようとする課題】
【０００４】
しかしながら、前記可動接片２６は薄い弾性導電板であるので、前記作動片２８ａが傾きやすく、動作特性にバラツキが生じやすい。
特に、前記作動片２８ａが前記係合孔内で偏った位置にある状態、あるいは、前記作動片２８ａが傾いたままの状態で前記作動片２８ａが往復移動すると、前記作動片２８ａの係合突起が前記係合孔の周縁部で削られ、摩耗粉が生じやすい。そして、前記摩耗粉が可動接点，固定接点に付着することにより、接触不良が生じやすいという問題点がある。
本発明は、前記問題点に鑑み、動作特性が均一で接触不良が生じない可動接触片の駆動機構を提供することにある。
【課題を解決するための手段】
【０００５】
本発明に係る可動接触片の駆動機構は、前記課題を解決すべく、可動接点を有し、かつ、係合受け部を有する可動接触片と、前記可動接点に接離可能に対向する固定接点と、先端部に前記可動接触片の前記係合受け部に係合する係合突起を有し、前記固定接点側に向かう方向に沿って往復移動することにより、前記可動接触片の可動接点を前記固定接点に接離させる操作体と、からなる可動接触片の駆動機構であって、前記係合受け部の開口部の少なくとも一部から、前記固定接点側に向かう方向に突出するフランジ部を設けた構成としてある。
【発明の効果】
【０００６】
本発明によれば、操作体の係合突起が、可動接触片に設けたフランジ部の内面で支持されるので、前記操作体が傾きにくく、動作特性が均一な可動接触片の駆動機構が得られる。
【０００７】
本発明の実施形態としては、前記係合受け部が前記可動接触片に設けた係合孔であってもよい。
本実施形態によれば、前記係合孔に操作体の係合突起の周囲が支持されるので、動作特性がより一層、均一な可動接触片の駆動機構が得られる。
【０００８】
本発明の他の実施形態としては、前記フランジ部は環状であってもよい。
本実施形態によれば、環状のフランジ部に操作体の係合突起の全周が支持されるので、動作特性がより一層、均一な可動接触片の駆動機構が得られる。
【０００９】
本発明の別の実施形態としては、前記フランジ部の前記操作体に対向する面を、前記係合受け部の開口部から前記フランジ部の先端部に向かい、かつ、前記係合受け部の開口部の外側に広がるように傾斜させてもよい。
本実施形態によれば、操作体の係合突起がフランジ部の先端の周縁部で削られることがなく、接触不良が生じない可動接触片の駆動機構が得られる。
【００１０】
本発明の異なる実施形態としては、前記係合受け部が、前記可動接触片の外周縁部に設けた少なくとも１つの切欠きであってもよい。
本実施形態によれば、適用できる前記可動接触片の範囲が広がり、設計の自由度が大きくなる。
【００１１】
本発明の異なる実施形態としては、前記フランジ部の前記操作体に対向する面の傾斜角度が、前記操作体の前記係合突起の傾斜角度以上であってもよい。
本実施形態によれば、操作体の係合突起がフランジ部の内周面の一部に当接しても、前記フランジ部の先端の周縁部で前記係合突起が削られることがなく、接触不良が生じない可動接触片の駆動機構が得られる。
【００１２】
本発明に係る電磁継電器は、前述の可動接触片の駆動機構を備えている。
【００１３】
本発明によれば、動作特性が均一で接触不良が生じない電磁継電器が得られるという効果がある。
【図面の簡単な説明】
【００１４】
【図１】本発明に係る可動接触片の駆動機構を電磁継電器に適用した実施形態を示す斜視図である。
【図２】図１に示した電磁継電器の縦断面図である。
【図３】図２で示した縦断面図の部分拡大図である。
【図４】図１に示した電磁継電器を異なる角度から見た斜視図である。
【図５】図１に示した電磁継電器の分解斜視図である。
【図６】図４に示した電磁継電器の分解斜視図である。
【図７】可動接触片のフランジ部を製造する工程を説明するための断面図である。
【図８】図７に続く製造工程を説明するための断面図である。
【図９】図８に続く製造工程を説明するための断面図である。
【図１０】フランジ部の製造工程において使用する他のパンチを示す部分正面図である。
【図１１】異なるフランジ部の形状を示す部分断面図である。
【発明を実施するための形態】
【００１５】
本発明に係る可動接触片の駆動機構を電磁継電器に適用した場合について説明する。
本実施形態に係る電磁継電器は、図１ないし図６に示すように、ベース１０に立設した電磁石ブロック２０の励磁，消磁に基づいて回動する可動鉄片３０で、操作体であるカード３５を介し、接点機構４０を駆動する。
なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１６】
前記ベース１０は、図５，６に示すように、その上面の一方側に電磁石ブロック２０を構成するためのスプール２１（図２参照）を一体成形してあるとともに、その近傍の隅部にコイル端子１９を挿入するコイル端子孔１１を設けてある。また、前記ベース１０は、その上面中央に平面方形の貫通孔１２を設けてあるとともに、その上面の他方側に端子孔１３，１４を設けてある。
【００１７】
電磁石ブロック２０は、図２に示すように、前記スプール２１の胴部２２にコイル２３を巻回してある。また、前記胴部２２に設けた貫通孔２４に断面略Ｔ字形状の鉄芯２５を挿入し、突出する一端部を磁極部２５ａとする一方、突出する他端部２５ｂを断面略Ｌ字形状のヨーク２６にカシメ固定してある。なお、前記ヨーク２６の垂直部の外向面には緩衝用凹部２７を設けてある。
【００１８】
前記可動鉄片３０は断面略Ｌ字形状であり、前記ヨーク２６の上端角部２８に、前記スプール２１の鍔部２９に係合したヒンジバネ３１を介し、回動可能に支持されている。そして、前記可動鉄片３０は、その下端部に設けた挿通孔３２が、前記ヨーク２６の緩衝用凹部２７に対向している。
【００１９】
前記カード３５は、断面略十文字形状であり、一方側の水平端部３６を前記可動鉄片３０の挿通孔３２に挿通する一方、他方側の水平端部３７の先端部に係合突起３８を突設し、この係合突起３８を後述する可動接触片４５の係合孔４８に挿通する。
【００２０】
前記接点機構４０は、図５，６に示すように、固定接触片４１と可動接触片４５とで構成されている。前記固定接触片４１は、その自由端部に固定接点４２を有し、端子部４３を前記ベース１０の端子孔１３に圧入している。一方、前記可動接触片４５は、その自由端部に可動接点４６を有し、端子部４７を前記ベース１０の端子孔１４に圧入している。そして、前記可動接点４６と前記固定接点４２とは接離可能に対向している。
【００２１】
前記可動接触片４５は、図５，６に示すように、前記可動接点４６の下方側に設けた係合孔４８の周縁部から前記固定接触片４１に向かう方向に突出する環状のフランジ部４９を設けてある。前記フランジ部４９は、前記カード３５の係合突起３８と係合した場合に、接触面積を増大させ、安定した係合状態を確保するために設けられたものである。
特に、図３に示すように、前記フランジ部４９の内周面（前記カード３５の係合突起３８に接する内周面）４９ａは、前記係合孔４８から前記固定接触片４１側に向けて末広がりとなるようにラッパ形状に傾斜している。言い換えれば、前記フランジ部４９の内周面４９ａは、前記係合孔４８から前記固定接触片４１側に向けて前記係合孔４８の開口部の外側に広がるように傾斜している。
また、前記フランジ部４９の内周面４９ａの傾斜角度は、前記係合突起３８が傾斜したままの状態で往復移動しても、前記フランジ部４９の開口縁部に当接しない角度、すなわち、前記係合突起３８の傾斜した角度以上となっている。このため、前記カード３５の係合突起３８が傾斜したままの状態で往復移動しても、前記係合突起３８は前記フランジ部４９の先端の周縁部で削られることがなく、摩耗粉が生じず、絶縁不良が生じないという利点がある。
【００２２】
前記可動接触片４５のフランジ部４９は、バーリング加工とプレス加工とを用いて形成するが、必ずしもこれに限らない。例えば、図７ないし図９に示すように、ダイス５０に、貫通孔（図示せず）を予め設けた可動接触片４５を位置決めし、第１パンチ５１でフランジ部４９を形成する（図７）。ついで、第１パンチ５１とは逆方向から第２パンチ５２で前記フランジ部４９の内周面４９ａをラッパ形状に押し拡げるようにプレス加工する（図８）。
【００２３】
なお、第２パンチ５２は前述の形状に限らず、例えば、図１０に示すように、ガイド部５３を備えたものであってもよい。これによれば、前記ガイド部５３を介し、第２パンチ５２を係合孔４８に正確かつ迅速にガイドできるので、可動接触片４５の寸法精度および生産性が向上するという利点がある。
【００２４】
また、可動接触片４５のフランジ部４９は、図１１に示すように、同一厚さ寸法を有するように形成してもよい。
さらに、前記フランジ部４９の内周面４９ａを末広がりのラッパ形状にするためにはプレス加工に限らず、研磨加工で形成してもよい。
【００２５】
次に、前述の電磁継電器の動作について説明する。
電磁石ブロック２０のコイル２３に電圧を印加する前は、図２に示すように、可動接触片４５のばね力でカード３５が電磁石ブロック２０側に付勢されている。このため、可動接点４６が固定接点４２から開離しているとともに、可動鉄片３０の水平部が鉄芯２５の磁極部２５ａから開離している。
【００２６】
そして、前記コイル２３に電圧を印加して励磁すると、鉄芯２５の磁極部２５ａが可動鉄片３０の水平部を吸引し、前記ヨーク２６の上端角部２８を支点として前記可動鉄片３０が回動する。このため、前記可動鉄片３０の垂直部がカード３５を介して可動接触片４５を押圧するので、可動接触片４５が回動し、可動接点４６が固定接点４２に接触する。その後、前記可動鉄片３０の水平部が鉄芯２５の磁極部２５ａに吸着する。
【００２７】
ついで、前記コイル２３に印加していた電圧を停止して消磁すると、可動接触片４５のばね力でカード３５が押し戻され、可動鉄片３０が前述とは逆方向に回動し、可動接点４６が固定接点４２から開離して元の状態に復帰する。
【００２８】
本実施形態では、前記可動接触片４５に係合受け部として係合孔４８を設ける場合について説明したが、必ずしもこれに限らない。例えば、可動接触片４５の外周縁部に係合受け部として略Ｕ字形状の切欠きを設けるとともに、前記切欠きの開口縁部にフランジ部を設けてもよい。
また、フランジ部自体は必ずしも環状である必要はなく、例えば、半円形であってもよい。
【産業上の利用可能性】
【００２９】
前述の可動接触片の駆動機構は、前述の電磁継電器に限らず、他の電磁継電器あるいは開閉器に適用してもよいことは勿論である。
【符号の説明】
【００３０】
１０  ベース
１９  コイル端子
２０  電磁石ブロック
２１  スプール
２２  胴部
２３  コイル
２４  貫通孔
２５  鉄芯
２５ａ  磁極部
２６  ヨーク
３０  可動鉄片
３５  カード（操作体）
３６  水平端部
３７  水平端部
３８  係合突起
４０  接点機構
４１  固定接触片
４２  固定接点
４５  可動接触片
４６  可動接点
４８  係合孔（係合受け部）
４９  フランジ部
５０  ダイス
５１  第１パンチ
５２  第２パンチ
５３  ガイド部
【図１】
2016177896.tif 000003
【図２】
2016177896.tif 000004
【図３】
2016177896.tif 000005
【図４】
2016177896.tif 000006
【図５】
2016177896.tif 000007
【図６】
2016177896.tif 000008
【図７】
2016177896.tif 000009
【図８】
2016177896.tif 000010
【図９】
2016177896.tif 000011
【図１０】
2016177896.tif 000012
【図１１】
2016177896.tif 000013